(57)【要約】【課題】チャンネル切り替えに関する情報を管理して外部接続先装置とのコンテンツの送受信を制御し、受信したコンテンツをユーザーに提供することで、デジタル放送のチャンネル切り替え時にユーザーが待ち時間を気にすることなく、様々な情報を低コストで取得できるデジタル放送受信装置及びデータ出力制御方法を提供する。【解決手段】チャンネル切り替え管理部９は、チャンネル切り替えに関するデータを管理し、外部接続先装置３とコンテンツ管理部１１のコンテンツの送受信を制御し、コンテンツ管理部１１が取得したコンテンツを、出力データ切り替えスイッチ７を制御することにより出力装置４に出力し、チャンネル切り替え時に、ユーザーへ様々な情報を提供する。【選択図】図１
2008271194.tif 000002
【特許請求の範囲】
【請求項１】
デジタル放送を受信する機能を備えたデジタル放送受信装置であって、
デジタル放送を受信するためのデジタルチューナーと、
前記デジタルチューナーで受信した前記デジタル放送に対して映像データ及び／又は音声データなどの出力データへと復号するデコーダと、
リモコン又は当該デジタル放送受信装置本体などからチャンネルを切り替えるチャンネル切り替え手段と、
チャンネルの切り替えの制御を行なうチャンネル切り替え管理部と、
サーバ又は他の機器などの外部接続先装置と接続するための外部接続手段と、
前記外部接続先装置と通信を行ない、コンテンツを送受信するためのコンテンツ管理部とを有し、
前記チャンネル切り替え管理部は、チャンネル切り替えに関するデータを参照して、チャンネル切り替えの制御を行なうことを特徴とするデジタル放送受信装置。
【請求項２】
前記チャンネル切り替え管理部は、前記デコーダからの出力と前記コンテンツ管理部からの出力のいずれかの出力の選択をする制御を行なうことを特徴とする請求項１に記載のデジタル放送受信装置。
【請求項３】
前記チャンネル切り替えに関するデータには、切り替え元チャンネル、切り替え先チャンネル又は切り替えの状態についてのデータが含まれることを特徴とする請求項１又は請求項２に記載のデジタル放送受信装置。
【請求項４】
前記コンテンツ管理部は、前記外部接続先装置から受信したコンテンツデータに対しての判別、保存、変更又は出力などの処理を行なうことを特徴とする請求項１から請求項３までのいずれか１つに記載のデジタル放送受信装置。
【請求項５】
前記コンテンツ管理部は、前記チャンネル切り替え管理部からの前記チャンネル切り替えに関するデータを前記外部接続先装置に送信し、前記コンテンツを該外部接続先装置から受信することを特徴とする請求項１から請求項４までのいずれか１つに記載のデジタル放送受信装置。
【請求項６】
前記コンテンツ管理部は、コンテンツデータを保存する記憶部を備え、
前記チャンネル切り替え管理部からの前記チャンネル切り替えに関するデータより前記記憶部を検索し、前記コンテンツデータを出力することを特徴とする請求項１から請求項４までのいずれか１つに記載のデジタル放送受信装置。
【請求項７】
前記コンテンツ管理部は、前記記憶部に該当するコンテンツデータがなかった場合は、前記外部接続先装置と通信を行ない、前記コンテンツデータを取得することを特徴とする請求項６に記載のデジタル放送受信装置。
【請求項８】
デジタル放送を受信する機能を備えたデジタル放送受信装置により外部接続先装置からデータの送受信の制御を行なうデータ出力制御方法であって、
前記デジタル放送受信装置は、デジタル放送を受信するステップと、
前記デジタル放送に対して映像データ及び／又は音声データなどの出力データへ復号するステップと、
リモコン又は当該デジタル放送受信装置本体などからの制御信号によるチャンネル切り替え時に、コンテンツデータを取得するステップと、
チャンネル切り替えに関するデータを参照して、前記出力データと前記コンテンツデータのいずれのデータを出力するか選択して出力するステップとを有することを特徴とするデータ出力制御方法。
【請求項９】
前記デジタル放送受信装置は、チャンネル切り替え時に、前記外部接続先装置から前記コンテンツデータを取得することを特徴とする請求項８に記載のデータ出力制御方法。
【請求項１０】
前記デジタル放送受信装置は、チャンネル切り替え時に、前記チャンネル切り替えに関するデータに対応する前記コンテンツデータが保存されていない場合、前記外部接続先装置から前記コンテンツデータを取得することを特徴とする請求項８に記載のデータ出力制御方法。
【発明の詳細な説明】
【技術分野】
【０００１】
本発明は、デジタル放送の受信装置におけるチャンネル切り替え制御の技術に関する。
【背景技術】
【０００２】
従来、テレビジョン放送としては、映像や音声などの信号をアナログ方式で伝送するアナログ放送が主流であり、アナログ放送対応のチューナーで受信することでユーザーが視聴できるというものであった。しかしながら、近年ではデジタル通信技術が発達することで、映像や音声などの信号をデジタル方式で伝送するデジタル放送が可能となり、映像や音声の劣化がない高画質で高音質の放送が提供できるようになった。
【０００３】
ところで、デジタル放送を受信する場合、これまでのアナログ放送とは違い、デジタル放送を受信するための装置及び処理が必要であり、デジタル信号から受信するチャンネルのデータを取得する処理や放送局でエンコードされたデータをデコードする処理などが必要である。チャンネルのデータを取得する処理（Ｄｅｍｕｘ処理）は、デジタル放送衛星と各種信号の送受信を行なうため、多くの処理を必要とする。また、放送局からのデータをデコードする処理（Ｄｅｃｏｒｄ処理）も、複雑な処理となる。
【０００４】
このため、デジタル放送のチャンネル切り替えの際には、アナログ放送に比べて時間がかかる。チャンネル切り替え開始から切り替え後のチャンネルの映像及び音声が出力されるまで、約１秒程度の待ち時間がかかり、その結果、アナログ放送に比べて気軽にチャンネルを切り替えにくくなったという問題点がある。
【０００５】
チャンネル切り替えが完了するまでの待ち時間を軽減する方法として、複数のチャンネルを同時にデコードできるように複数のデコーダを搭載したデジタル放送受信機を使用し、現在視聴しているチャンネルをデコードしているデコーダとは別のデコーダにおいて、現在選局されているチャンネル番号の直前と直後の番号のチャンネル、又は、過去の選局回数が多いチャンネル等、あらかじめ切り替えられるチャンネルを予測してデコードしておき、チャンネル切り替え時に予測したチャンネルと一致した場合には予測したチャンネルをデコードしているデコーダを使用することでデコードにかかる時間を軽減し、チャンネル切り替えが完了するまでの時間を軽減する方法が開示されている（例えば、特許文献１参照）。
【０００６】
他にも、チャンネル切り替えが完了するまでの待ち時間を軽減する方法として、現在視聴しているチャンネルとは別のチャンネルを受信するためのチューナー及びデコーダを搭載し、チューナーのチャンネルを自動的且つ周期的に切り替え、数チャンネルまたは全チャンネルのデコードした受信データを記録ユニットに記録し、チャンネル切り替え時に、切り替え先のチャンネルが出力されるまでの間、記録ユニットに記録されている切り替え先チャンネルのデコードしたデータを出力することで、チャンネル切り替えが完了するまでの時間を軽減する方法が開示されている（例えば、特許文献２参照）。
【特許文献１】特開２００３-２７４３０４号公報
【特許文献２】特開２００１-３０９２５５号公報
【発明の開示】
【発明が解決しようとする課題】
【０００７】
しかしながら、特許文献１のように複数のデコーダを用いて予測したチャンネルをあらかじめデコードしておく方法については、複数のデコーダが必要であることや、チャンネルの切り替え先が予測と一致しなかった場合には効果が得られないなどの問題点があった。
【０００８】
また、特許文献２のようにチャンネルを周期的に切り替えてデコードした受信データを、記録して出力する方法については、チャンネルを周期的に切り替えて受信するための新たなチューナーやデコーダが必要であり、また、受信データを記録するために記録ユニットなどが必要となる。また、周期的に切り替えて記録しているために、記録ユニットから出力するデータとチャンネル切り替え完了後に出力するデータが時間的に常につながっているとは限らず、片方がＣＭ中であり、もう一方が番組中となるような場合には、チャンネル切り替え後に、切替前の画像との関連性がなく、ユーザーが視聴していて違和感を感じたり、ユーザーが求めている内容が適切に得られないといった問題点があった。
【０００９】
また、上記で説明したデジタル放送のチャンネル切り替えの待ち時間については、今後更なる高画質化や高圧縮化された放送の実現、放送チャンネル数の増加、又はデジタル放送受信の新たな処理の追加などがあった場合には、更に待ち時間が増大することも考えられる。
【００１０】
本発明の目的は、チャンネル切り替えに関する情報を管理して外部接続先装置とのコンテンツの送受信を制御し、受信したコンテンツをユーザーに提供することで、デジタル放送のチャンネル切り替え時にユーザーが待ち時間を気にすることなく、様々な情報を低コストで取得できるデジタル放送受信装置及びデータ出力制御方法を提供することである。
【課題を解決するための手段】
【００１１】
斯かる実情に鑑み、第１の発明によるデジタル放送受信装置は、デジタル放送を受信する機能を備えたデジタル放送受信装置であって、
デジタル放送を受信するためのデジタルチューナーと、前記デジタルチューナーで受信した前記デジタル放送に対して映像データ及び／又は音声データなどの出力データへと復号するデコーダと、リモコン又は当該デジタル放送受信装置本体などからチャンネルを切り替えるチャンネル切り替え手段と、チャンネルの切り替えの制御を行なうチャンネル切り替え管理部と、サーバ又は他の機器などの外部接続先装置と接続するための外部接続手段と、前記外部接続先装置と通信を行ない、コンテンツを送受信するためのコンテンツ管理部とを有し、前記チャンネル切り替え管理部は、チャンネル切り替えに関するデータを参照して、チャンネル切り替えの制御を行なうことを特徴とする。
【００１２】
また、第２の発明によるデジタル放送受信装置は、前記チャンネル切り替え管理部が、前記デコーダからの出力と前記コンテンツ管理部からの出力のいずれかの出力の選択をする制御を行なうことを特徴とする。
【００１３】
また、第３の発明によるデジタル放送受信装置は、前記チャンネル切り替えに関するデータには、切り替え元チャンネル、切り替え先チャンネル又は切り替えの状態についてのデータが含まれることを特徴とする。
【００１４】
また、第４の発明によるデジタル放送受信装置は、前記コンテンツ管理部が、前記外部接続先装置から受信したコンテンツデータに対しての判別、保存、変更又は出力などの処理を行なうことを特徴とする。
【００１５】
また、第５の発明によるデジタル放送受信装置は、前記コンテンツ管理部が、前記チャンネル切り替え管理部からの前記チャンネル切り替えに関するデータを前記外部接続先装置に送信し、前記コンテンツを該外部接続先装置から受信することを特徴とする。
【００１６】
また、第６の発明によるデジタル放送受信装置は、前記コンテンツ管理部が、コンテンツデータを保存する記憶部を備え、前記チャンネル切り替え管理部からの前記チャンネル切り替えに関するデータより前記記憶部を検索し、前記コンテンツデータを出力することを特徴とする。
【００１７】
また、第７の発明によるデジタル放送受信装置は、前記コンテンツ管理部が、前記記憶部に該当するコンテンツデータがなかった場合は、前記外部接続先装置と通信を行ない、前記コンテンツデータを取得することを特徴とする。
【００１８】
また、第８の発明によるデータ出力制御方法は、デジタル放送を受信する機能を備えたデジタル放送受信装置により外部接続先装置からデータの送受信の制御を行なうデータ出力制御方法であって、
前記デジタル放送受信装置は、デジタル放送を受信するステップと、前記デジタル放送に対して映像データ及び／又は音声データなどの出力データへ復号するステップと、リモコン又は当該デジタル放送受信装置本体などからの制御信号によるチャンネル切り替え時に、コンテンツデータを取得するステップと、チャンネル切り替えに関するデータを参照して、前記出力データと前記コンテンツデータのいずれのデータを出力するか選択して出力するステップとを有することを特徴とする。
【００１９】
また、第９の発明によるデータ出力制御方法は、前記デジタル放送受信装置が、チャンネル切り替え時に、前記外部接続先装置から前記コンテンツデータを取得することを特徴とする。
【００２０】
また、第１０の発明によるデータ出力制御方法は、前記デジタル放送受信装置が、チャンネル切り替え時に、前記チャンネル切り替えに関するデータに対応する前記コンテンツデータが保存されていない場合、前記外部接続先装置から前記コンテンツデータを取得することを特徴とする。
【発明の効果】
【００２１】
本発明によれば、デジタル放送受信装置が、外部接続先装置とコンテンツの送受信を行ない、チャンネル切り替えの待ち時間中に、ユーザーにコンテンツを提供することにより、チャンネル切り替えにかかる待ち時間をユーザーが気にすることなく様々な情報を取得できるようになる。
【００２２】
また、デジタル放送受信装置のチャンネル切り替え管理部は、チャンネル切り替えに関するデータを管理していて、該データを参照することにより、デコーダからの出力とコンテンツを管理・提供するコンテンツ管理部からの出力のいずれかの選択を行なう制御を行なうことができる。
例えば、チャンネル切り替え開始時に、チャンネル切り替え管理部は、チャンネル切り替えに関するデータを参照して、コンテンツの受信が完了しチャンネル切り替え動作中であるなら、出力データ切り替えスイッチを制御してコンテンツを出力し、チャンネル切り替え完了時には、出力データ切り替えスイッチによってデコーダからの出力に切り替えることで、チャンネル切り替え中の待ち時間に、コンテンツを提供することが可能となる。
【００２３】
また、コンテンツ管理部は、チャンネル切り替えについての制御信号を受け取ると、外部接続先装置と通信を行ない、コンテンツを取得し、コンテンツを提供することが可能となる。
【００２４】
また、あらかじめコンテンツをコンテンツ管理部に保存しているため、該当するコンテンツがある場合には、チャンネル切り替えの動作となってから、外部接続先装置とデータの送受信を行なう必要がなく、より早く出力装置にコンテンツを出力して表示させることができ、ユーザーに与える待ち時間によるストレスを軽減することが可能となる。
【００２５】
また、コンテンツの種類や提供方法によって様々な効果があり、例えば、切り替え先チャンネルの情報を外部接続先装置から受信し、コンテンツとして出力することで、ユーザーがチャンネル切り替え完了を待たずに切り替え先チャンネルの情報を取得することが可能となる。
【００２６】
また、企業が広告などをコンテンツとしてチャンネル切り替え中に提供し、企業からの広告料の分、デジタル放送受信装置本体のコストを低減することが可能となる。
【００２７】
また、切り替えによる待ち時間がなくなることで、リモコン等でチャンネルを頻繁に切り替えるザッピングを気軽に行なうことが可能となる。
【発明を実施するための最良の形態】
【００２８】
以下、本発明の実施の形態を図示例と共に説明する。
【００２９】
（第１の実施形態）
以下、本発明の第１の実施形態について図面を用いて説明する。
図１は、本発明の第１の実施形態におけるデジタル放送受信装置に関するブロック図である。
【００３０】
図１に示すように、デジタル放送受信装置１は、アンテナ２からデジタル放送信号を受信し、外部接続先装置３からコンテンツ等を取得し、出力装置４に映像データ及び／又は音声データを出力する。
【００３１】
アンテナ２からは、地上波やＢＳ、ＣＳなどのデジタル方式の放送が提供される。
【００３２】
外部接続先装置３とは、デジタル放送受信装置１がコンテンツを取得する接続先のことを表す。具体的な接続機器や接続方式については、ＬＡＮ（Ｌｏｃａｌ  Ａｒｅａ  Ｎｅｔｗｏｒｋ）、ＢｌｕｅＴｏｏｔｈ、又はＩＥＥＥ１３９４等による、コンテンツを保存しているサーバ、ＰＣ（Ｐｅｒｓｏｎａｌ  Ｃｏｍｐｕｔｅｒ）又はＡＶ機器等との接続が考えられるが、機器、接続方式については特に限定しない。
【００３３】
出力装置４は、デジタル放送受信装置１からの出力データを出力するための装置であり、例えば、映像であればモニター、音声であればスピーカーなどである。
【００３４】
更に、デジタル放送受信装置１には、デジタルチューナー５、デコーダ６、出力データ切り替えスイッチ７、チャンネル切り替え手段８、チャンネル切り替え管理部９、データ出力部１０、コンテンツ管理部１１が含まれる。
【００３５】
デジタルチューナー５は、デジタル方式の放送を受信する。
【００３６】
デコーダ６は、デジタルチューナー５で受信したデジタルデータが圧縮されているため、映像や音声などのデータへと復号する処理を行なう。
【００３７】
出力データ切り替えスイッチ７は、デコーダ６で復号されたデータ、又はコンテンツ管理部１１が外部接続先装置３から取得したデータのいずれを出力するかの制御を行なうためのものである。
【００３８】
チャンネル切り替え手段８は、リモコンやデジタル放送受信装置本体などによってチャンネルの切り替えを実行する手段のことを表す。チャンネル切り替えが実行できる手段であれば、本発明においては、方法や通信系統については特に限定しない。
【００３９】
チャンネル切り替え管理部９は、デコーダ６、チャンネル切り替え手段８及びコンテンツ管理部１１などと情報を送受信することで、チャンネル切り替えに関するデータを管理する。管理するデータとしては、例えば、切り替え元チャンネルや切り替え先チャンネルについての情報、切り替え動作中であるかどうかの情報、切り替え開始からの経過時間などがある。
【００４０】
データ出力部１０には、デコーダ６又はコンテンツ管理部１１から出力されるデータ等が、出力データ切り替えスイッチ７によって選択され、出力される。
【００４１】
コンテンツ管理部１１は、チャンネル切り替え管理部９からの制御信号によって、外部接続先装置３と通信を行ない、コンテンツの受信を行ない、該コンテンツの管理を行なう。コンテンツに対しての判別、保存、変更、出力などのように、コンテンツに対する様々な処理を行なうことを可能とする。
【００４２】
以上のように構成されているデジタル放送受信装置１におけるチャンネル切り替え制御の実施形態について説明する。
【００４３】
図２は、本発明の第１の実施形態におけるチャンネル切り替え制御の手順を示したフローチャート図である。
【００４４】
まず、Ｓ１において、ユーザーによるリモコン操作やデジタル放送受信装置１本体からの命令などにより、チャンネル切り替え手段８が、チャンネル切り替え管理部９へ制御信号を出力し、チャンネル切り替えが開始される。
【００４５】
図３は、チャンネル切り替え管理部９に格納されているチャンネル切り替えに関するデータのテーブル例である。
【００４６】
Ｓ２において、チャンネル切り替え管理部９は、例えば、電子番組表（Ｅｌｅｃｔｒｏｎｉｃ  Ｐｒｏｇｒａｍ  Ｇｕｉｄｅ、以下、「ＥＰＧ」という）等から情報を取得して、図３（ａ）のように、テーブルに、例えば、チェンネル切り替え先のチャンネル情報、タイトル、ジャンル等を書き込み更新する。また、ステータスを、例えば、「切り替え動作中」等に変更して、チャンネル切り替え管理部９に備えるカウンタ等により切り替え経過時間のカウントを始める。
【００４７】
また、Ｓ３において、チャンネル切り替え管理部９は、コンテンツ管理部１１に、チャンネル切り替え先チャンネルの情報、例えば、タイトル、ジャンル等のデータを含むコンテンツ取得要求を出力する。
【００４８】
Ｓ４において、コンテンツ管理部１１は、チャンネル切り替え管理部９からコンテンツ取得要求を受け取ると、外部接続先装置３に通信を行ない、接続を開始する。
【００４９】
外部接続先装置３としては、サーバ、ＡＶ機器、ＰＣ等が考えられるが、コンテンツ管理部１１は、切り替え先チャンネルの情報を外部接続先装置３に送信する。
【００５０】
外部接続先装置３は、受信したチャンネルの情報からデータベース（不図示）を検索し、該情報に最適なコンテンツを抽出する。このコンテンツには、例えば、チャンネルに関する簡単な情報でもよいし、関連する番組を紹介する情報、又はチャンネルの嗜好に合う企業広告等が考えられる。
【００５１】
該当するコンテンツを抽出した外部接続先装置３は、コンテンツ管理部１１に、コンテンツを送信する。
【００５２】
Ｓ５において、コンテンツを受信したコンテンツ管理部１１は、コンテンツを記憶部（不図示）に保存し、チャンネル切り替え管理部９に、コンテンツ受信完了メッセージを出力する。
【００５３】
Ｓ６において、コンテンツ管理部１１からコンテンツ受信完了メッセージを受け取ったチャンネル切り替え管理部９は、図３（ａ）のようなテーブルを参照して、チャンネル切り替え動作中であるか、完了しているかの判定を行なう。テーブルのステータスが、まだ、「切り替え動作中」となっている場合、Ｓ７において、チャンネル切り替え管理部９は、出力データ切り替えスイッチ７を制御して、コンテンツ管理部１１からのデータをデータ出力部１０に出力できるように切り替えを行なう。
【００５４】
テーブルのステータスよりチャンネル切り替えが完了していると判定した場合、チャンネル切り替え管理部９は、コンテンツ管理部１１に、チャンネル切り替え完了メッセージを出力し、チャンネル切り替え処理は、終了する。
【００５５】
Ｓ８において、コンテンツ管理部１１は、コンテンツを出力データ切り替えスイッチ７経由で、データ出力部１０に出力する。
【００５６】
Ｓ９において、データ出力部１０は、コンテンツを出力装置４に出力し、出力装置４は、チャンネルの切り替えが完了するまで、コンテンツの表示を行なう。
【００５７】
その後、デジタルチューナー５が、切り替え先のチャンネルのデジタル信号を受信して、デコーダ６に出力すると、デコーダ６は、チャンネル切り替え管理部９にチャンネル切り替え完了メッセージを出力する。
【００５８】
チャンネル切り替え完了メッセージを受信したチャンネル切り替え管理部９は、図３（ｂ）のように、チャンネル情報のテーブルのステータスを、例えば、「放送受信中」等に変更し、切り替え先チャンネルについての情報を切り替え元チャンネルの情報に移動させ、切り替え経過時間についてのカウンタのリセットを行なう。
【００５９】
チャンネル切り替え管理部９は、出力データ切り替えスイッチ７を切り替えて、デコーダ６からのデータがデータ出力部１０に出力されるように切り替える。
【００６０】
以上のような処理を実行することで、例えば、チャンネル切り替え開始時に、外部接続先装置３からコンテンツを受信し、コンテンツの受信が完了した時点でチャンネル切り替え動作中であるなら、チャンネル切り替え管理部９が出力データ切り替えスイッチ７を制御してコンテンツを出力データとして出力することができる。
チャンネル切り替え完了時には、チャンネル切り替え管理部９は、出力データ切り替えスイッチ７によって、デコーダ６からの切り替え後チャンネルのデコード済みデータを出力するよう切り替えることができる。
すなわち、デジタル放送受信装置１は、チャンネル切り替え中の待ち時間に、外部接続先装置３から受信したコンテンツをユーザーに提供することができる。
【００６１】
また、コンテンツの種類や提供方法によって様々な効果があり、例えば、切り替え先チャンネルの情報を外部接続先装置３から受信し、コンテンツとして出力することで、ユーザーがチャンネル切り替え完了を待たずに切り替え先チャンネルの情報を取得できるようになる。
【００６２】
また、切り替えによる待ち時間がなくなることで、リモコン等でチャンネルを頻繁に切り替えるザッピングを気軽に行なうことができる。
【００６３】
また、企業が広告などをコンテンツとしてチャンネル切り替え中に提供することにより、企業からの広告料の分、デジタル放送受信装置本体のコストを低減することができる。
【００６４】
（第２の実施形態）
図４は、本発明の第２の実施形態におけるチャンネル切り替え制御の手順を示したフローチャート図である。
【００６５】
Ｓ１１からＳ１３までの処理は、第１の実施形態における図２のＳ１からＳ３までと同様である。
【００６６】
図５は、第２の実施形態におけるコンテンツ管理部１１が管理しているデータのテーブル例である。
【００６７】
図５に示すように、例えば、ジャンルごとにコンテンツが保存されている。
【００６８】
コンテンツ取得要求を受け取ったコンテンツ管理部１１は、Ｓ１４において、例えば、コンテンツ取得要求に含まれる切り替え先のチャンネルのジャンルの情報を解析し、該情報から、図５のようなテーブルを検索して、外部接続先装置３からコンテンツの送受信が必要か否かの判定を行なう。該当するジャンルのコンテンツがあり、「ＮＯ」であった場合には、Ｓ１６にすすむ。
【００６９】
該当するコンテンツがなく、「ＹＥＳ」であった場合には、Ｓ１５において、コンテンツ管理部１１は、外部接続先装置３に通信を行ない、接続を開始して、第１の実施形態と同様に、コンテンツを取得する。
【００７０】
この後のＳ１６からＳ２０までの処理は、第１の実施形態における図２のＳ５からＳ９までと同様である。
【００７１】
ところで、例えば、取得するコンテンツを番組の紹介情報とする場合には、コンテンツ管理部１１で管理しているテーブルには、ＥＰＧ等から取得した番組の簡略な説明文が番組ごとに保存される。この場合においても、該当するコンテンツがなかった場合には、外部接続先装置３からＥＰＧ等の取得を行ない、必要なコンテンツの情報を反映させる。
【００７２】
このような構成とすることで、予めコンテンツをコンテンツ管理部１１に保存しているので、該当するコンテンツがある場合には、チャンネル切り替えの動作となってから、外部接続先装置３とデータの送受信を行なう必要がなく、より早く出力装置４にコンテンツを出力して表示させることができ、ユーザーに与える待ち時間によるストレスを軽減することができる。
【００７３】
尚、本発明のデジタル放送受信装置及びデータ出力制御方法は、上述の図示例にのみ限定されるものではなく、本発明の要旨を逸脱しない範囲内において種々変更を加え得ることは勿論である。
【図面の簡単な説明】
【００７４】
【図１】本発明におけるデジタル放送受信装置に関するブロック図である。
【図２】本発明の第１の実施形態におけるチャンネル切り替え制御の手順を示したフローチャート図である。
【図３】本発明におけるチャンネル切り替え管理部で管理するテーブルの一例である。
【図４】本発明の第２の実施形態におけるチャンネル切り替え制御の手順を示したフローチャート図である。
【図５】本発明におけるコンテンツ管理部で管理するテーブルの一例である。
【符号の説明】
【００７５】
１  デジタル放送受信装置
２  アンテナ
３  外部接続先装置
４  出力装置
５  デジタルチューナー
６  デコーダ
７  出力データ切り替えスイッチ
８  チャンネル切り替え手段
９  チャンネル切り替え管理部
１０  データ出力部
１１  コンテンツ管理部
【図１】
2008271194.tif 000003
【図２】
2008271194.tif 000004
【図３】
2008271194.tif 000005
【図４】
2008271194.tif 000006
【図５】
2008271194.tif 000007